(57)【特許請求の範囲】
【請求項１】
貯水槽上に植物栽培コンテナを載置した植物栽培ユニットを、隣接するように複数敷設して植物栽培ユニット群を形成し、
前記植物栽培ユニット群に給水管を介して給水する給水システムにおいて、
前記貯水槽の側壁上端部に凹溝を形成して、前記凹溝により前記貯水槽間に水を流すことが可能な流水経路を形成し、
前記流水経路に対して直交する方向に前記給水管を配置し、
前記給水管から一の前記貯水槽に給水される水を、隣接する他の前記貯水槽に、前記流水経路により前記給水管の延びる方向と直交する方向の一方側から他方側に流れるように向きを規制して流すことを特徴とする給水システム。
【請求項２】
前記一の貯水槽が傾斜した敷設面に敷設され、前記敷設面における前記一の貯水槽よりも低い場所に前記他の貯水槽が敷設されることを特徴とする請求項１記載の給水システム。
【請求項３】
貯水槽上に植物栽培コンテナを載置した植物栽培ユニットを、隣接するように複数敷設して植物栽培ユニット群を形成し、
前記植物栽培ユニット群に給水管を介して給水する給水システムにおいて、
前記貯水槽の側壁上端部に凹溝を形成して、前記凹溝により前記貯水槽間に水を流すことが可能な流水経路を形成し、
一の前記貯水槽を傾斜した敷設面に敷設すると共に、前記敷設面における前記一の貯水槽よりも低い場所に他の前記貯水槽を敷設して、前記一の貯水槽に給水可能に前記給水管を配置し、
前記給水管から前記一の貯水槽に給水される水を、隣接する前記他の貯水槽に、前記流水経路により前記傾斜した敷設面の高い場所から低い場所に流れるように向きを規制して流すことを特徴とする給水システム。
【請求項４】
前記貯水槽は所定位置の側壁上端部に設けられた連係部で相互に連係され、前記凹溝が前記連係部に形成されていることを特徴とする請求項１〜３の何れかに記載の給水システム。
【請求項５】
前記貯水槽上で且つ前記植物栽培ユニット相互間に空間部が形成され、前記空間部に給水管が配置されていることを特徴とする請求項１〜４の何れかに記載の給水システム。
【請求項６】
前記貯水槽に敷設方向を指示する指示部が設けられ、前記指示部に従って前記貯水槽を敷設することにより前記流水経路が形成されていることを特徴とする請求項１〜５の何れかに記載の給水システム。
【発明の詳細な説明】
【０００１】
【発明の属する技術分野】
本発明は貯水槽上に植物栽培コンテナを載置した植物栽培ユニットを複数敷設して形成した植物栽培ユニット群に給水を行う給水システムに関する。
【０００２】
【従来の技術】
現代社会における都市部には自然が不足しているが、人間の自然に対する希求に応えて自然不足を補うべく、都市部における緑化対策が図られている。かかる緑化対策は、ビルの屋上、ベランダ、テラス、イベント会場等を人工的に緑化することで行われ、具体的には例えば、実公平１−２５５５８号に開示されているような床面に載置可能な平坦状の内底板の周縁に沿って枠板を立設して、その内部に芝を植え込むブロック箱体等を使用して緑化を図っている。
【０００３】
しかし、上記ブロック箱体に関する技術は、給水に関しては何ら開示されておらず、一般的な方法として、枠体上部から人手により給水する方法が考えられ、かかる給水は多大な労力が必要になる不具合を生じていた。
【０００４】
そこで上記不具合を解消するために、水道等の水源から給水管によって植物に給水する技術が提案され、例えば特開平１０−１６４９８９号には、育成材を充填する栽培槽の下方に貯水槽が設けられた底面灌水型のプランターに関して、貯水槽の上流側の給水口と下流側のオーバーフロー口が設けられ、給水口側とオーバーフロー口側とに仕切り板で仕切って複数の貯水室を構成すると共に、この仕切り板の上端部に越流部が設けられ、貯水室間の水位差を小さくする技術が開示されている。
【０００５】
【発明が解決しようとする課題】
ところが、上記プランターに関する技術は、給水口が貯水槽毎に設けられ、この給水口の数だけ給水管が必要となると共に、給水管と給水口の接続作業が必要であって、多大な費用と施工のための労力が必要となる不具合を生じていた。
【０００６】
また、水源から分岐された給水管は、分岐の数が多くなるほど水圧が低下してしまうため、広範囲の緑化対策には適さず、広範囲に緑化する場合は、水源を増やさなければならないという不具合を生じていた。
【０００７】
本発明は上記不具合に鑑みなされたものであって、施工のための労力及び費用を低減し、且つ広範囲の緑化エリアに対して良好な給水が可能である安価な給水システムを提供することを目的とする。
【０００８】
【課題を解決するための手段】
本発明の給水システムは、貯水槽上に植物栽培コンテナを載置した植物栽培ユニットを、隣接するように複数敷設して植物栽培ユニット群を形成し、前記植物栽培ユニット群に給水管を介して給水する給水システムにおいて、前記貯水槽の側壁上端部に凹溝を形成して、前記凹溝により前記貯水槽間に水を流すことが可能な流水経路を形成し、前記流水経路に対して直交する方向に前記給水管を配置し、前記給水管から一の前記貯水槽に給水される水を、隣接する他の前記貯水槽に、前記流水経路により前記給水管の延びる方向と直交する方向の一方側から他方側に流れるように向きを規制して流すことを特徴とする。前記給水管は多孔質管とすると好適である。
【０００９】
前記貯水槽は連係部により連係し、さらには前記連係部を前記貯水槽の少なくとも一側壁上端部に一体形成すると好適である。また前記植物栽培ユニット群の前記貯水槽上であり、且つ前記植物栽培コンテナ相互間に空間部を形成するとよい。また前記植物栽培コンテナには少なくとも一側壁に内向きへこみ部を形成するとよい。
【００１０】
また、本発明の給水システムは、前記一の貯水槽が傾斜した敷設面に敷設され、前記敷設面における前記一の貯水槽よりも低い場所に前記他の貯水槽が敷設されることを特徴とする。
【００１１】
また、本発明の給水システムは、貯水槽上に植物栽培コンテナを載置した植物栽培ユニットを、隣接するように複数敷設して植物栽培ユニット群を形成し、前記植物栽培ユニット群に給水管を介して給水する給水システムにおいて、前記貯水槽の側壁上端部に凹溝を形成して、前記凹溝により前記貯水槽間に水を流すことが可能な流水経路を形成し、一の前記貯水槽を傾斜した敷設面に敷設すると共に、前記敷設面における前記一の貯水槽よりも低い場所に他の前記貯水槽を敷設して、前記一の貯水槽に給水可能に前記給水管を配置し、前記給水管から前記一の貯水槽に給水される水を、隣接する前記他の貯水槽に、前記流水経路により前記傾斜した敷設面の高い場所から低い場所に流れるように向きを規制して流すことを特徴とする。
【００１２】
また、本発明の給水システムは、前記貯水槽は所定位置の側壁上端部に設けられた連係部で相互に連係され、前記凹溝が前記連係部に形成されていることを特徴とする。
【００１３】
また上記給水システムは、前記貯水槽上で且つ前記植物栽培ユニット相互間に空間部が形成され、前記空間部に給水管が配置されていることを特徴とする。即ち流水経路に直交する任意の空間部に給水管を配置する。
【００１４】
さらに上記給水システムは、前記貯水槽に敷設方向を指示する指示部が設けられ、前記指示部に従って前記貯水槽を敷設することにより前記流水経路が形成されていることを特徴とする。
【００１５】
【作用】
次に作用について説明する。
【００１６】
例えば本発明の給水システムで、貯水槽上に植物栽培コンテナを載置した植物栽培ユニットを複数敷設して植物栽培ユニット群を形成し、この植物栽培ユニット群に給水する給水システムに関して、貯水槽上に植物栽培コンテナを載置した植物栽培ユニットを、隣接するように複数敷設して植物栽培ユニット群を形成し、植物栽培ユニット群に給水管を介して給水する給水システムにおいて、貯水槽の側壁上端部に凹溝を形成して、隣接する貯水槽の凹溝により貯水槽間の水の流れである流水経路を形成し、流水経路に対して直交する方向に給水管を配置し、或いは、一の貯水槽を傾斜した敷設面に敷設すると共に、敷設面における一の貯水槽よりも低い場所に他の貯水槽を敷設して、一の貯水槽に給水可能に給水管を配置し、給水管から一の貯水槽に給水される水を、隣接する他の貯水槽に流水経路を介して流す構成により、最低限給水管は１つあれば足り、給水管の配置作業の煩雑さを低減すると共に、経費を低減することが可能となる。
【００１７】
また、前記貯水槽を敷設する場合に、流水経路を形成するために貯水槽の敷設方向を指示する指示部を貯水槽に設けることで、施工時に作業者がこの指示部に従って施工すれば良く、施工時の煩雑さを低減できる。
【００１８】
また、貯水槽を連係部で連結することで、植物栽培ユニット群が離散することがなく、緑化エリアを保持することが可能となる。
【００１９】
また、前記連係部が貯水槽の少なくとも一側壁上端部に一体形成されるようにすることで、施工時の部品点数が少なくてすみ、施工作業を容易化することができる。
【００２０】
また、前記流水経路を貯水槽の側壁上端部に形成されている凹溝により形成することで、流水管などを接続する必要がなく、部品点数が少なくてすみ、施工作業がより容易化する。この場合、敷設面上に部分的な突起等があっても、凹溝の高さが側壁の高さを越えない限り、流水方向が凹溝による流水経路に規制されるので、水が迂回することなく全ての貯水槽に満たされることとなる。
【００２１】
また、前記貯水槽上であり、植物栽培コンテナ相互間に空間部を形成することで、植物栽培ユニット群内の通気性が向上し、根ぐされが防止される。さらに前記流水経路と直交する任意の空間部に給水管を配置することで、優れた外観意匠性が得られると共に、給水管の配置作業が容易となる。更には前記給水管を多孔質管とすることで、上記本発明の給水・灌水システムをより有効利用することが可能となる。
【００２２】
また、前記植物栽培コンテナは、少なくとも一側壁に内向きへこみ部を形成することで、この内向きへこみ部内に給水管を配置することが可能になり、さらに給水管を植物栽培コンテナによって上部から保持できると共に貯水槽によって下部から保持できて給水管の支持金具が不必要となり、より部品点数が減り、施工作業が容易化される。
【００２３】
【発明の実施の形態】
次に本発明の給水システムの具体的な実施形態を図面に沿って説明するが、本発明はかかる実施形態によって限定されるものではない。
【００２４】
本給水システムは、貯水槽１０上に植物栽培コンテナ２０を載置した植物栽培ユニットを複数敷設して形成した植物栽培ユニット群に給水管６０を介して給水するものであるため、その構成要素である貯水槽１０、植物栽培コンテナ２０について順に説明する。
【００２５】
図１から図３は本発明の給水システムで使用する貯水槽を示し、図１は本発明の給水システムにおける貯水槽の平面図、図２は図１の貯水槽のＡ−Ａ矢視断面図、図３は図１の貯水槽のＢ−Ｂ矢視断面図である。
【００２６】
貯水槽１０は主として底面１１と側壁１２とからなる上部が開口した平面視略方形で、側壁１２の上端部には外方向に略鉤型の連係部１３が形成されている。前記連係部１３は上面部１３ｍ及び垂下部１３ｎとからなり、上面１３ｍの広狭によって分けられる幅広連係部１３ａと幅狭連係部１３ｂの２種類からなる。前記２種類の連係部１３を利用し、複数の貯水槽１０を敷設した場合に幅狭連係部１３ｂの上方から幅広連係部１３ａを覆い被せることによって、各々の貯水槽１０が連結される構成である。
【００２７】
幅広連係部１３ａ及び幅狭連係部１３ｂは、各貯水槽１０に四辺ある側壁１２のうち各二辺ずつの側壁１２上端部に設けられ、二箇所の幅広連係部１３ａ同士は隣接して形成されていると共に、二箇所の幅狭連係部１３ｂ同士は隣接して形成されている。つまり、同一連係部１３を上端部に形成された側壁１２が隣接することとなり、例えばある側壁１２の上端部に幅広連係部１３ａが形成されていれば、時計回りに幅広連係部１３ａ、幅狭連係部１３ｂ、幅狭連係部１３ｂの順に形成されている。
【００２８】
幅広連係部１３ａの上面部１３ｍは、幅狭連係部１３ｂの上面部１３ｍよりも少なくとも板厚分低く形成し、連係状態を維持した場合に貯水槽１０の傾き及びがたつきを軽減するように構成されている。そして、相互に隣接して貯水槽１０を敷設する際に幅狭連係部１３ｂと幅広連係部１３ａがぶつかり合う位置である貯水槽１０の角部分においては、一部を垂下部１３ｎを切除してなる切欠部１３ｏが形成されている。前記垂下部１３ｎの切除長さ（切欠部１３ｏの長さ）は、隣接する連係部１３の重合を阻害しない状態とすることを意図して適宜に決定される。
【００２９】
さらに図１２に示すように、貯水槽１０の側壁１２のうち対向する側壁１２の上端部にある連係部１３において、その略中央位置に流水用の凹溝１４が形成されている。前記凹溝１４は略水平面である凹面部１４ａと傾斜した側面である凹側面部１４ｂとからなり、幅狭連係部１３ｂに形成されている凹溝１４の凹面部１４ａの高さは、幅広連係部１３ａの凹溝の凹面部１４ａの高さより板厚分低く形成し、且つ幅狭連係部１３ｂの凹溝１４の凹側面部１４ｂ間の距離は、幅広連係部１３ａの凹溝１４の凹側面部１４ｂ間の距離よりも長く形成し、貯水槽１０の連係状態を維持した場合に、貯水槽１０及びその貯水槽群の傾き及びがたつきを軽減するように構成されている。
【００３０】
また、貯水槽１０の底面１１には、後述する植物栽培コンテナ２０を載置する際に位置決めするための位置決め凸部１１ａが設けられ、前記位置決め凸部１１ａによって植物栽培コンテナ２０の位置が決定される。この位置決め凸部１１ａにより、植物栽培コンテナ２０のがたつきを防止することができると共に、貯水槽１０及び植物栽培コンテナ２０を複数敷設した場合に植物栽培コンテナ２０間の間隔を最適間隔に維持することが可能となる。
【００３１】
さらに貯水槽１０の底面には図１３に示すように、所定の傾斜を有する敷設面上に貯水槽１０を複数敷設する際の貯水槽１０の方向を決定する指示部１１ｂが形成され、施工時に指示部１１ｂに従って貯水槽１０を敷設することにより、容易に貯水槽１０を正規に敷設することが可能となる。
【００３２】
例えば本実施形態例の貯水槽１０では、幅広連係部１３ａが隣り合う側壁１２が示す角部分近傍に指示部１１ｂが形成されいるが、この貯水槽１０を複数敷設面に敷設する場合に、傾斜した敷設面の低い場所から敷設を開始し、且つ指示部１１ｂを前記敷設面の低い方向に向けて敷設する。その後、順次指示部１１ｂを同一方向にして貯水槽１０を敷設していく。本敷設方法によって、前記幅広連係部１３ａが傾斜した敷設面の低い方向に位置すると共に幅狭連係部１３ｂが傾斜した敷設面の高い方向に位置することになり、傾斜した敷設面のより低い場所に位置する貯水槽１０の幅狭連係部１３ｂ上に、次に敷設する貯水槽１０の幅広連係部１３ａが覆い被さるように敷設することとなって、容易に正規の敷設作業を行うことができる。このとき各貯水槽１０間には上記凹溝１４が傾斜方向に沿って位置し、図１６及び図２１に示すように、前記凹溝１４で貯水槽１０間の流水が可能となるが、傾斜した敷設面の高い場所からの水流を覆い被さっている幅広連係部１３ａから他の貯水槽１０へ流水するため、貯水槽１０間での水漏れを防止することができる。
【００３３】
本実施形態例における貯水槽１０の連係部１３は幅広連係部１３ａと幅狭連係部１３ｂにより構成したが、本発明は上記実施形態に限定されるものではなく、少なくとも一側壁に連係部１３が設けられていればよく、例えば図２４及び図２５に示すように、流水方向に沿って、傾斜した敷設面の低い位置（下流側）にのみ略鉤型の連係部１３を設け、この連係部１３に対向する側壁１２の上端部には鉤型連係部１３を設けず、前記連係部１３を側壁１２の上端部に係合する構成であっても良い。また連係部１３の形状も本実施形態例の略鉤型に限定されるものではない。
【００３４】
尚、貯水槽１０の材質は合成樹脂製のものが良好であり、塩化ビニル、ポリプロピレン、ポリエステル、ポリエチレン、ポリスチレンなどが用いられ、真空成型、ブロー成型、射出成型、押し出し成型等の成型方法で形成するとよい。また貯水槽１０の大きさは、例えば２５ｃｍ×２５ｃｍ、２５ｃｍ×５０ｃｍ、５０ｃｍ×５０ｃｍとする等適宜である。
【００３５】
図４及び図５は本発明の植物栽培コンテナを示し、図４は本発明の給水システムにおける植物栽培コンテナの平面図、図５は図４の植物栽培コンテナの縦断面図である。
【００３６】
植物栽培コンテナ２０は底面２１と側壁２２からなる上部が開口した平面視略方形で、側壁２２の下部は内向きにへこんで内向きへこみ部２２ａが形成されている。この内向きへこみ部２２ａは全ての側壁２２に設けても良いが、図２６に示すように少なくとも一つの側壁２２に設ける構成であっても良い。また、内向きへこみ部２２ａの代わりに、図２７に示すように側壁２２の上部に向かうほど開口面積が増大するように、側壁２２を傾斜面をとする構成であっても良い。
【００３７】
植物栽培コンテナ２０の底面２１には、断面略十字形、略Ｌ字形、略Ｔ字形等で有れば好適である柱状部材２３が複数立設され、植物栽培コンテナ２０内の植物を上部からの踏圧に対して強固に保護するように構成されていると共に、個々の柱状部材２３で受けた圧力を底面２１で分散し、植物栽培コンテナ２０自体の破損等を防止している。この柱状部材２３の構成及び断面形状、個数、配列等は、本実施形態例に限定されるものではない。
【００３８】
前記柱状部材２３の立設場所以外の底面２１の適宜箇所に、有れば好適である通水兼通気孔２４及び敷設面に向かって突出している中空状の吸水凸部２５が形成されている。前記通水兼通気孔２４は、植物栽培コンテナ２０内の余剰水を貯水槽１０内に流し出す為に設けられていると共に、植物栽培コンテナ２０内に充填する育成材内の通気を良くする為に設けられている。この通水兼通気孔２４の形状、個数、構成、配置等は本実施形態例に限定されるものではない。前記吸水凸部２５の頂部平面には吸水孔２５ａが設けられ、貯水槽内の水分を毛細管現象により吸水する構成となっている。
【００３９】
そして、図６及び図７に示すように、植物栽培コンテナ２０の底面２１に脚部２６が設けられ、この脚部２６に前記貯水槽底面１１に設けられた位置決め凸部１１ａに対応する位置決め凹部２６ａが形成され、植物栽培コンテナ２０を貯水槽１０に載置して支持する構成となっており、植物栽培コンテナ２０を貯水槽１０上に載置する場合に、前記位置決め凸部１１ａと位置決め凹部２６ａを嵌合することで好適な場所で植物栽培コンテナ２０が支持される。また前記脚部２６は、前記吸水凸部２５を前記貯水槽底面１１の上面から所定間隔離して支持するように構成され、吸水効率を向上させている。なお前記脚部２６はより好適にする場合、植物栽培コンテナ底面２１と貯水槽１０内の水位との間に空気層を形成可能な高さに保持し、前記吸水凸部２５及び脚部２６のみが水没するように構成すれば、前記通水兼通気孔２４からの植物に対しての通気が良好となり、植物が丈夫に育つこととなる。
【００４０】
さらに植物栽培コンテナ２０の側壁２２の略中央部には、有れば好適であるコンテナ連係凸部２７ａ及びコンテナ連係凹部２７ｂが設けられている。図１１に示すように、このコンテナ連係凸部２７ａ及び凹部２７ｂは、複数の貯水槽１０が敷設された状態で、前記貯水槽１０上に植物栽培コンテナ２０を載置した時に、前記コンテナ連係凸部２７ａが他の植物栽培コンテナ２０のコンテナ連係凹部２７ｂに係合するようになっており、植物栽培コンテナ２０の前後左右方向への圧力に対して、強固に保持可能に構成されている。このコンテナ連係凸部２７ａ及び凹部２７ｂの場所、構成、形状等は本実施形態例に限定されるものではない。
【００４１】
尚、植物栽培コンテナ２０の材質は、前記貯水槽１０と同様に合成樹脂製のものが良好であり、塩化ビニル、ポリプロピレン、ポリエステル、ポリエチレン、ポリスチレン等が用いられ、真空成型、ブロー成型、射出成型、押し出し成型等の成型方法で形成するとよい。また、植物栽培コンテナ２０の大きさ及び形状は、前記貯水槽１０内に載置可能な大きさであればどの様な大きさ及び形状であっても良い。
【００４２】
ここで上記貯水槽１０上に上記植物栽培コンテナ２０を載置した状態について説明する。図８から図１０までは、貯水槽１０上に植物栽培コンテナ２０を載置した状態の平面図であり、図８は本発明における植物栽培コンテナと貯水槽の載置状態を示す平面図、図９は本発明のおける植物栽培コンテナ及び貯水槽に育成材を充填した状態を示す平面図、図１０は本発明における植物栽培コンテナ及び貯水槽に植栽した状態を示す平面図である。
【００４３】
ここで貯水槽１０上には植物栽培コンテナ２０を載置し、この植物栽培コンテナ２０内に育成材３０を充填し、この充填された育成材３０上に植物４０を載置するように構成されている。
【００４４】
前記育成材３０はどのようなものであってもよいが、屋上、或いはベランダ等に敷設する場合は、出来るだけ軽量であればよりよく、パーライト、バーミキュライト、ピートモス、バーク堆肥、チャフコン、木質腐朽有機物、ゼオライト等が考えられる。また上記育成材３０の内の数種類を、又は必要と思われる根腐れ防止用の珪酸塩白土などを植栽の種類、環境などに応じて適宜選定し、保水性、排水性を良好にするためバランスよく配合した軽量育成材等が考えられる。かかる通気性良好な軽量育成材を採用することにより、植物の根が傷むことを防止できる。これらの軽量育成材による荷重は、従来の客土の約１／３であり、敷設面への荷重付加を軽減することができる。
【００４５】
前記育成材３０は施工現場で充填するようにしても良いが、予め工場などで植物栽培コンテナ２０に充填し、現場では植物栽培コンテナ２０を載置するだけの状態或いは一体化した植物栽培ユニットである貯水槽１０及び植物栽培コンテナ２０を敷設するだけの状態にしてもよく、この場合は、育成材３０を植物栽培コンテナ２０内に充填してプレス機をかけた後に、少なくとも育成材３０の上面をバインダ処理することが望ましく、例えば、ポバールなどをお湯でとかした液体を育成材３０上に吹き付け処理、アルギン酸溶液やでんぷん溶液等を散布し、バインダ粉の散布後にその散布面に温水等の水分を供給散布処理、又はバインダシート等を載置してそのシート上面に温水などの水分を供給散布処理等が考えられ、前記様々な処理後に表面を自然乾燥或いは強制乾燥等して乾燥処理する。
【００４６】
上記バインダ処理は、植物育成条件や育成材の混合物の性質、特長などを考慮して適宜選定する。そして、バインダ処理により、少なくとも育成材３０の表面が固定化されるので、育成材３０の飛散、移動が防止でき、運搬などの取り扱いが極めて容易となる。
【００４７】
また前記植物４０として芝生等が考えられるが、前記育成材３０が充填された植物栽培コンテナ２０上に芝ユニットを載置し、上部から給水することで、前記バインダ処理された表面からバインダ溶液が前記通水兼通気孔２４から貯水槽１０内に流れ、芝の根が前記育成材３０内に伸長することになり、芝が育成材３０に根付くようになる。前記植物４０はどの様なものであっても良く、植木や花等でも良く、又、前記育成材３０上に種子を巻いて植栽するようにしても良い。
【００４８】
次に、貯水槽１０及び植物栽培コンテナ２０からなる植物栽培ユニットを連係して敷設面上に敷設した状態について説明する。図１４及び図１５は、植物栽培コンテナ及び貯水槽の連係状態を示し、図１４は本発明における空間部を示す一部拡大断面図、図１５は本発明における空間部に給水管を配置した状態を示す一部拡大断面図である。
【００４９】
植物栽培ユニットを連設するに際しては、貯水槽１０同士を幅広連係部１３ａ及び幅狭連係部１３ｂで連結し、貯水槽１０上の位置決め凸部１１ａに位置決め凹部２６ａを嵌合して植物栽培コンテナ２０を載置し、コンテナ連係凸部２７ａと凹部２７ｂを係合して連結する。このとき植物栽培コンテナ側壁２２に内向きへこみ部２２ａが形成されているため、前記貯水槽１０上で且つ植物栽培コンテナ側壁２２相互間に空間部５０が形成される。この空間部５０には給水管６０を配置し、植物栽培コンテナ２０上部から給水管６０が見えなくなって装飾性が向上するように構成されている。
【００５０】
前記給水管６０には特に給水管支持金具を設ける必要がなく、給水管６０の上下及び左右の動きを植物栽培コンテナ２０の側壁２２と貯水槽１０によって保持できるようになっている。前記給水管６０としては多孔質管が好適であり、穴あき管、しみ出し管、ドリップ式点滴管等様々なものが考えられる。
【００５１】
次に本発明の給水システムについて説明する。図１７から図２０及び図２２は複数の貯水槽１０或いは植物栽培コンテナ２０を敷設した状態を示し、図１７は本発明における貯水槽群に給水管を配置した状態を示す一部拡大平面図、図１８は図１７に植物を植えた植物栽培コンテナを載置した状態を示す平面図、図１９は本発明における緑化エリア完成時の一部拡大平面図、図２０は本発明の植物栽培ユニット群を示す一部拡大断面図、図２２は本発明の給水システムの施工例を示す平面図である。
【００５２】
図に於いて給水管６０には水源から主管６０ａが配置され、この主管６０ａから複数の給水管６０が分岐装置６１を介して分岐されている。この水源からの給水は自動的に行っても良く、例えば電磁弁等を介して、予め定められた時間に給水を開始し、所定時間経過後に給水を停止するように構成しても良い。
【００５３】
ここで敷設面は図２２に示すＡからＢへ傾斜し、貯水槽１０は指示部１１ｂがＢ方向を向くように複数敷設されている。このように敷設された貯水槽１０の凹溝１４は、前記傾斜方向であるＡからＢに向かう方向に流水可能に構成され、前記給水管６０はＣからＡへ向かって配置されている。この給水管６０はＣからＡに向かって配置されることで、給水管６０途中に複数設けられた孔（図示せず）から水が貯水槽１０上に流れ、貯水槽１０内で溢れた水は前記凹溝１４に沿って他の貯水槽１０内へ流れる構成となっている。尚、前記給水管６０の配置はＡからＣであっても良いことはいうまでもない。
【００５４】
この給水管６０の配置場所は、上流から適宜間隔をおいて複数配置することが望ましいが、少なくとも最上流側に１つ設ければ、全ての貯水槽１０に均等に給水することができる。つまり、上流の貯水槽１０に給水管６０から給水され、上流の貯水槽１０内の水分が多くなった場合に、自然に前記凹溝１４からオーバーフローし、次の貯水槽１０へ給水される構成となっているため、全ての貯水槽１０に水分がいきわたると共に、凹溝１４の水位までの水分は貯水槽１０内に保持されているため、全ての貯水槽１０内に均等に給水することが可能となる。この貯水槽群の最下流の貯水槽１０の水分は、凹溝１４からオーバーフローし、敷設面に流れるため、貯水槽１０内の余剰水を外部に排出することが可能となり、植物の根ぐされを防止することが可能となる。
【００５５】
例えば図２２に於いて給水管Ｍから貯水槽Ｄに給水された水分は貯水槽Ｄ内に貯えられ、満水になると凹溝１４から貯水槽Ｅへ流水し、その後貯水槽Ｆへ流水することとなり、貯水槽Ｇに給水された水分は貯水槽Ｇ内に貯えられ、満水になると凹溝１４から貯水槽Ｈへ流水し、その後貯水槽Ｉへ流水することとなり、貯水槽Ｊに給水された水分は貯水槽Ｊ内に貯えられ、満水になると凹溝１４から貯水槽Ｋへ流水し、その後貯水槽Ｌへ流水することとなる。
【００５６】
上記構成にすることにより、例えば、貯水槽Ｅを敷設した敷設面に突起等があった場合も、流水方向が一方向（貯水槽Ｄから貯水槽Ｅを介して貯水槽Ｆ方向等）に規制されているため、貯水槽Ｄからの水分が貯水槽Ｇ、Ｊ等に迂回することなく、貯水槽Ｅへ流水し、その後貯水槽Ｆへ流出する。以上により、貯水槽Ｅ内、或いは貯水槽Ｆ内に給水されない（給水時に水分が行き渡らない）という不具合が生じることがなくなる。
【００５７】
なお前記給水管６０を複数配置する場合は、リレー方式により、順次ブロック毎に給水するようにすることが望ましく、これにより給水による水圧低下を防いで、全ブロックに均等に給水することが可能となる。
【００５８】
また上記のように貯水槽１０上に植物栽培コンテナ２０を敷設して植物栽培ユニット群を形成した場合、植物栽培コンテナ２０間に多少の隙間が形成されるが、この隙間から空気の流通が可能となり、植物栽培コンテナ２０の下部と上部の通気を可能としている。また、この隙間は、植物を植えることにより、植物の成長と共に上部からは目視することが難しくなり、装飾性の欠如とはならなくなる。
【００５９】
さらに上記植物栽培ユニット群は図１９に示すように、外周から縁石７０等により囲むことにより、装飾性を向上することができる。この時に、例えば縁石７０内、或いは貯水槽１０上で且つ縁石７０に接する植物栽培コンテナ２０の側壁２２の内向きへこみ部２２ａと縁石７０間の空間に主管６０ａを配置するように構成すればより装飾性が向上する。
【００６０】
また、植物栽培コンテナ２０上に板材７１等を載置することにより、様々なレイアウトを楽しむことができると共に、より装飾性を向上することができる。前記板材７１の材質として、木製、石製、鉄製、プラスチック製等様々な材質が考えられる。その他に、ライト、支持板上に腰掛け、机、時計台、手摺り、支柱、遊具等に使用する支柱等を固定しても良く、より多彩なレイアウトを楽しむことができる。
【００６１】
また貯水槽の変形例として図２３に示すように、４つの貯水槽１０を仕切部１２ａで仕切った１ユニットとして形成すると敷設作業がより簡単になる。この場合、ユニット内の各貯水槽１０間には連係部１３を設けずに、凹溝１４のみを設けておけば良く、４つの貯水槽１０を一回の敷設作業で行うことができ、敷設作業に費やす時間及び労力を低減することが可能となる。同様に植物栽培コンテナ２０も上記貯水槽１０と同様に４つの植物栽培コンテナ２０を１ユニットとして前記貯水槽１０上に載置するように構成してもよく、これによってより敷設作業に費やす時間及び労力を低減することができる。
【００６２】
以上、本発明の給水システムについて説明したが、本発明は上記実施形態に限定されるものではなく、以下のような変形及び拡張することができる。例えば、植物栽培コンテナ２０及び貯水槽１０の形状及び構成は本発明の要旨の範囲内である全てを包含するものである。特に実施形態では略方形の植物栽培コンテナ２０及び貯水槽１０で説明したが、これに限定されるものではなく、例えば三角形、六角形、円形、楕円形等様々な形状が考えられる。
【００６３】
また、貯水槽１０の側壁１２上端部に設けられた凹溝１４の数及び構成、形状は上記実施形態に限定されるものではなく、一側壁１２上端部に２以上の凹溝１４を形成してもよく、且つ幅狭連係部１３ｂには凹溝１４を形成しない構成であっても良い。また、流水経路として略Ｖ字形の凹溝形状であっても良い。
【００６４】
また、給水管６０、貯水槽１０、植物栽培コンテナ２０の敷設状態は、貯水槽１０の流水方向に直交する方向に給水管６０が配置されていればどの様な配置、構成であっても良い。
【００６５】
また、本実施形態では、給水として水分についてのみ説明したが、これに限定されるものではなく、液体肥料、殺虫剤溶液、これらの混合溶液等も含まれ、液体状のものであれば全て含まれる。
【００６６】
【発明の効果】
以上のように本発明の給水システムは上記構成であるから、その使用によって施工のための労力及び費用を低減し、且つ広範囲の緑化エリアに対して良好な給水を可能とする効果を有する。また安価な提供が可能であり、広く利用されることが期待される。
【００６７】
さらに本発明の給水システムは水の流れが流水経路に規制され、流水経路内の貯水槽全てに傾斜面に沿って給水がなされるため、全ての貯水槽内に均一に給水が行き渡って均等に給水することができ、全ての植物栽培コンテナ内の植物を良好に栽培することができる。つまり、給水が行き渡らない貯水槽が存在しないこととなり、ある植物栽培コンテナ内の植物のみ枯れるという不具合を解消することができる。
【図面の簡単な説明】
【図１】本発明の給水システムにおける貯水槽の平面図。
【図２】図１の貯水槽のＡ−Ａ矢視断面図。
【図３】図１の貯水槽のＢ−Ｂ矢視断面図。
【図４】本発明の給水システムにおける植物栽培コンテナの平面図。
【図５】図４の植物栽培コンテナの縦断面図。
【図６】本発明における植物栽培コンテナと貯水槽の分離状態を示す縦断面図。
【図７】本発明における植物栽培コンテナと貯水槽の載置状態を示す縦断面図。
【図８】本発明における植物栽培コンテナと貯水槽の載置状態を示す平面図。
【図９】本発明のおける植物栽培コンテナ及び貯水槽に育成材を充填した状態を示す平面図。
【図１０】本発明における植物栽培コンテナ及び貯水槽に植栽した状態を示す平面図。
【図１１】本発明における植物栽培コンテナ同士の連係状態を示す一部拡大断面図。
【図１２】本発明における貯水槽の連係部の連係状態を示す一部拡大斜視図。
【図１３】本発明における貯水槽を貯水槽群として敷設した状態を示す一部拡大平面図。
【図１４】本発明における空間部を示す一部拡大断面図。
【図１５】本発明における空間部に給水管を配置した状態を示す一部拡大断面図。
【図１６】本発明における流水経路を示す一部拡大斜視図。
【図１７】本発明における貯水槽群に給水管を配置した状態を示す一部拡大平面図。
【図１８】図１７に植物栽培コンテナを載置した状態を示す平面図。
【図１９】本発明における緑化エリア完成時の一部拡大平面図。
【図２０】本発明の植物栽培ユニット群を示す一部拡大断面図。
【図２１】本発明における空間部の流水経路を示す拡大断面図。
【図２２】本発明の給水システムの施工例を示す平面図。
【図２３】本発明における貯水槽の変形例を示す平面図。
【図２４】本発明における貯水槽の別の変形例を示す平面図。
【図２５】図２４の貯水槽の連係部を示す一部拡大斜視図。
【図２６】本発明における植物栽培コンテナの変形例を示す断面図。
【図２７】本発明における植物栽培コンテナの別の変形例を示す断面図。
【符号の説明】
１０ 貯水槽
１１ａ 位置決め凸部
１１ｂ 指示部
１２ 側壁
１３ 連係部
１３ａ 幅広連係部
１３ｂ 幅狭連係部
１３ｍ 上面部
１３ｎ 垂下部
１４ 凹溝
２０ 植物栽培コンテナ
２２ 側壁
２２ａ 内向きへこみ部
２３ 柱状部材
２６ａ 位置決め凹部
２７ａ コンテナ連係凸部
２７ｂ コンテナ連係凹部
３０ 育成材
４０ 植物
５０ 空間部
６０ 給水管
【図１】
0004535471.tif 000002
【図２】
0004535471.tif 000003
【図３】
0004535471.tif 000004
【図４】
0004535471.tif 000005
【図５】
0004535471.tif 000006
【図６】
0004535471.tif 000007
【図７】
0004535471.tif 000008
【図８】
0004535471.tif 000009
【図９】
0004535471.tif 000010
【図１０】
0004535471.tif 000011
【図１１】
0004535471.tif 000012
【図１２】
0004535471.tif 000013
【図１３】
0004535471.tif 000014
【図１４】
0004535471.tif 000015
【図１５】
0004535471.tif 000016
【図１６】
0004535471.tif 000017
【図１７】
0004535471.tif 000018
【図１８】
0004535471.tif 000019
【図１９】
0004535471.tif 000020
【図２０】
0004535471.tif 000021
【図２１】
0004535471.tif 000022
【図２２】
0004535471.tif 000023
【図２３】
0004535471.tif 000024
【図２４】
0004535471.tif 000025
【図２５】
0004535471.tif 000026
【図２６】
0004535471.tif 000027
【図２７】
0004535471.tif 000028